(57)【要約】【課題】取り上げられる際のハンドリング性に優れた買物カゴを提供すること。【解決手段】買物カゴ１は、カゴ本体２と、カゴ本体２に設けられた回動軸７と、回動軸７によってカゴ本体２に回動自在に連結され、カゴ本体２に倒れた状態と起立した状態とに変位する把手３と、把手３に設けられ、把手３がカゴ本体２に倒れた状態に変位したときに、把手３とカゴ本体２との間に空間５０を形成する第１凹部４０とを備える。【選択図】図２
2020055594.tif 000002
【特許請求の範囲】
【請求項１】
カゴ本体と、
前記カゴ本体に設けられた回動構成部と、
前記回動構成部によって前記カゴ本体に回動自在に連結され、該カゴ本体に倒れた状態と起立した状態とに変位する把手と、
前記把手に設けられ、該把手が前記カゴ本体に倒れた状態に変位したときに、該把手と該カゴ本体との間に空間を形成する空間形成部とを備えることを特徴とする買物カゴ。
【請求項２】
前記把手は、
前記空間形成部が設けられた把持部と、
前記把持部から延出したアーム部と、
前記アーム部に形成され、前記回動構成部に連結される被回動構成部とを備え、
前記空間形成部は、前記把手が前記カゴ本体に倒れた状態に変位したときに、上方へ凹んだ状態になる第１凹部であることを特徴とする請求項１に記載の買物カゴ。
【請求項３】
前記把手に設けられ、該把手が前記カゴ本体に倒れた状態に変位したときに、該カゴ本体側の側端から上方へ突き出したグリップ部と、
一対の前記把手とを備えることを特徴とする請求項１又は請求項２に記載の買物カゴ。
【請求項４】
前記一対の把手にそれぞれ設けられた第１当接部と、
前記グリップ部であって、前記一対の把手が前記カゴ本体から起立した状態に変位したときに、前記第１当接部よりも下方向側に位置する第２当接部とを備え、
前記一対の把手が前記カゴ本体から起立した状態に変位したときに、該一対の把手の前記第１当接部同士及び前記第２当接部同士が当接し、更に、一方の把手の該第１当接部と該第２当接部の間において、他方の把手の該第１当接部が該一方の把手に当接可能である、又は、該他方の把手の該第１当接部と該第２当接部の間において、該一方の把手の該第１当接部が該他方の把手に当接可能であることを特徴とする請求項３に記載の買物カゴ。
【請求項５】
前記カゴ本体に設けられ、下方へ凹む第２凹部を備え、
前記第２凹部は、前記把手が前記カゴ本体に倒れた状態に変位したときに、該把手の前記空間形成部に上下方向で対向することを特徴とする請求項１乃至請求項４のいずれか一つに記載の買物カゴ。
【請求項６】
前記カゴ本体に設けられ、前記買物カゴが他の買物カゴに積み重ねられたときに、該買物カゴを該他の買物カゴから上下方向で所定距離離間させる当接リブを備え、
前記所定距離は、前記把手が前記カゴ本体に倒れた状態に変位したときの、該カゴ本体の前記第２凹部から該把手の前記空間形成部までの上下方向の距離よりも長いことを特徴とする請求項５に記載の買物カゴ。
【請求項７】
前記カゴ本体の色と前記把手の色とが異なることを特徴とする請求項１乃至請求項６のいずれか一つに記載の買物カゴ。
【発明の詳細な説明】
【技術分野】
【０００１】
本発明は、カゴ本体と、カゴ本体に回動自在に連結された把手とを備える買物カゴに関するものである。
【背景技術】
【０００２】
従来より、カゴ本体と、カゴ本体に回動自在に連結された把手とを備える買物カゴに関し、種々の技術が提案されている。
【０００３】
例えば、下記特許文献１に記載のスーパー用買物かごは、把手がカゴ本体の上端部であるフランジに接するように倒れた状態にある。従って、使用者は、スーパー用買物かごを手に取る際は、把手をカゴ本体の上端部から起立させた状態とし、その状態の把手を握る。
【先行技術文献】
【特許文献】
【０００４】
【特許文献１】実開昭５５−１６０６２１号公報
【発明の概要】
【発明が解決しようとする課題】
【０００５】
しかしながら、カゴ本体の上端部から起立させる際の把手は、カゴ本体の上端部であるフランジに接するように倒れた状態にあるので、ハンドリング性が悪かった。
【０００６】
そこで、本発明は、上述した点を鑑みてなされたものであり、取り上げられる際のハンドリング性に優れた買物カゴを提供することを課題とする。
【課題を解決するための手段】
【０００７】
この課題を解決するためになされた請求項１に係る発明は、買物カゴであって、カゴ本体と、カゴ本体に設けられた回動構成部と、回動構成部によってカゴ本体に回動自在に連結され、カゴ本体に倒れた状態と起立した状態とに変位する把手と、把手に設けられ、把手がカゴ本体に倒れた状態に変位したときに、把手とカゴ本体との間に空間を形成する空間形成部とを備えることを特徴とする。
【０００８】
請求項２に係る発明は、請求項１に記載の買物カゴであって、把手は、空間形成部が設けられた把持部と、把持部から延出したアーム部と、アーム部に形成され、回動構成部に連結される被回動構成部とを備え、空間形成部は、把手がカゴ本体に倒れた状態に変位したときに、上方へ凹んだ状態になる第１凹部であることを特徴とする。
【０００９】
請求項３に係る発明は、請求項１又は請求項２に記載の買物カゴであって、把手に設けられ、把手がカゴ本体に倒れた状態に変位したときに、カゴ本体側の側端から上方へ突き出したグリップ部と、一対の把手とを備えることを特徴とする。
【００１０】
請求項４に係る発明は、請求項３に記載の買物カゴであって、一対の把手にそれぞれ設けられた第１当接部と、グリップ部であって、一対の把手がカゴ本体から起立した状態に変位したときに、第１当接部よりも下方向側に位置する第２当接部とを備え、一対の把手がカゴ本体から起立した状態に変位したときに、一対の把手の第１当接部同士及び第２当接部同士が当接し、更に、一方の把手の第１当接部と第２当接部の間において、他方の把手の第１当接部が一方の把手に当接可能である、又は、他方の把手の第１当接部と第２当接部の間において、一方の把手の第１当接部が他方の把手に当接可能であることを特徴とする。
【００１１】
請求項５に係る発明は、請求項１乃至請求項４のいずれか一つに記載の買物カゴであって、カゴ本体に設けられ、下方へ凹む第２凹部を備え、第２凹部は、把手がカゴ本体に倒れた状態に変位したときに、把手の空間形成部に上下方向で対向することを特徴とする。
【００１２】
尚、把手の空間形成部は、カゴ本体の第２凹部と上下方向で対向する際において、カゴ本体の第２凹部の真上方向にある必要はなく、カゴ本体の第２凹部の真上方向からずれていてもよい。
【００１３】
請求項６に係る発明は、請求項５に記載の買物カゴであって、カゴ本体に設けられ、買物カゴが他の買物カゴに積み重ねられたときに、買物カゴを他の買物カゴから上下方向で所定距離離間させる当接リブを備え、所定距離は、把手がカゴ本体に倒れた状態に変位したときの、カゴ本体の第２凹部から把手の空間形成部までの上下方向の距離よりも長いことを特徴とする。
【００１４】
請求項７に係る発明は、請求項１乃至請求項６のいずれか一つに記載の買物カゴであって、カゴ本体の色と把手の色とが異なることを特徴とする。
【発明の効果】
【００１５】
請求項１に係る発明の買物カゴでは、把手がカゴ本体に倒れた状態に変位すると、把手の空間形成部によって、カゴ本体の側面視又は正面視で、把手とカゴ本体との間に空間が形成される。そのため、使用者は、その指を、カゴ本体と把手との間に比較的深くまで差し入れ易い。これにより、請求項１に係る発明の買物カゴは、取り上げられる際のハンドリング性に優れる。
【００１６】
請求項２に係る発明の買物カゴでは、把手がカゴ本体に倒れた状態に変位すると、把手の空間形成部である第１凹部が、上方へ凹んだ状態になる。よって、カゴ本体の側面視又は正面視で、把手の第１凹部とカゴ本体との間に空間が形成される。そのため、使用者は、その指を、カゴ本体と把手との間に比較的深くまで差し入れ易い。これにより、請求項２に係る発明の買物カゴは、取り上げられる際のハンドリング性に優れる。
【００１７】
請求項３に係る発明の買物カゴでは、把手がカゴ本体に倒れた状態にあるときのグリップ部が、把手において、カゴ本体側の側端から上方へ突き出している。よって、一対の把手がカゴ本体から起立した状態に変位すると、各グリップ部は、一対の把手の下端からカゴ本体の内方へ突き出すので、対向する状態となる。そのため、カゴ本体から起立した状態にある一対の把手を、使用者が握ると、各グリップ部によって、使用者の手（のひら）と把手との接触面積が広がる。これにより、請求項３に係る発明の買物カゴは、取り上げられる際のグリップ性に優れる。
【００１８】
それゆえ、請求項３に係る発明の買物カゴでは、使用者の手（のひら）で握り易くするためのカバー部材を把手に取り付ける必要がないので、その取り付けの手間を省くことが可能である。
【００１９】
請求項４に係る発明の買物カゴでは、例えば、カゴ本体から起立した状態の一対の把手を使用者が握り持ち上げた状態において、カゴ本体に商品が入れられると、商品の重みによって、買物カゴ（つまり、カゴ本体及び一対の把手）が傾いて、把手同士が上下方向でずれる場合がある。そのような場合に、一方の把手の第１当接部と第２当接部の間において、他方の把手の第１当接部が一方の把手に当接可能である、又は、他方の把手の第１当接部と第２当接部の間において、一方の把手の第１当接部が他方の把手に当接可能である。これにより、請求項４に係る発明の買物カゴでは、カゴ本体が傾いた状態にあっても、使用者は、一対の把手を安定して握ることが可能である。
【００２０】
更に、請求項４に係る発明の買物カゴでは、一対の把手がカゴ本体から起立した状態にあると、第１当接部よりも下方向側に位置する第２当接部が、グリップ部である。そのため、カゴ本体から起立した状態にある一対の把手を、使用者が握ると、各グリップ部によって、使用者の手（のひら）と把手との接触面積が広がる。これにより、請求項４に係る発明の買物カゴは、取り上げられる際のグリップ性が一層優れる。
【００２１】
請求項５に係る発明の買物カゴにおいて、把手がカゴ本体に倒れた状態にあると、空間形成部と、下方へ凹んだ状態のカゴ本体の第２凹部とが、上下方向で対向する。よって、カゴ本体の側面視又は正面視で、把手の空間形成部とカゴ本体の第２凹部との間に形成される空間によって、把手とカゴ本体との間が広く確保される。そのため、使用者は、その指を、カゴ本体と把手との間に比較的深くまで差し入れ易い。これにより、請求項５に係る発明の買物カゴは、取り上げられる際のハンドリング性が一層優れる。
【００２２】
請求項６に係る発明の買物カゴにおいて、カゴ本体に設けられた当接リブは、買物カゴが他の買物カゴに積み重ねられたときに、買物カゴ（上段側の買物カゴ）を、他の買物カゴ（下段側の買物カゴ）から上下方向で所定距離離間させる。その所定距離は、把手がカゴ本体に倒れた状態に変位したときにおいて、カゴ本体の第２凹部から把手の空間形成部までの上下方向の距離よりも長い。そのため、請求項６に係る発明の買物カゴでは、買物カゴ（上段側の買物カゴ）が他の買物カゴ（下段側の買物カゴ）に積み重ねられた際において、買物カゴ（上段側の買物カゴ）が他の買物カゴ（下段側の買物カゴ）の把手を押し潰すことがないので、把手の破損を防止することが可能である。
【００２３】
請求項７に係る発明の買物カゴでは、カゴ本体の色と把手の色とが異なるので、把手の視認性が向上している。よって、使用者は、その指が差し入れられる空間であって、把手とカゴ本体との間に形成される空間を、色によって、認識することが可能である。これにより、請求項７に係る発明の買物カゴは、取り上げられる際のハンドリング性に優れる。
【図面の簡単な説明】
【００２４】
【図１】本発明の実施形態の買物カゴが表された斜視図である。
【図２】同買物カゴが表された斜視図である。
【図３】同買物カゴの一部が拡大された斜視図である。
【図４】中心線Ａよりも左側は同買物カゴが表された側面図であり、中心線Ａよりも右側は同買物カゴの断面が表された図である。
【図５】中心線Ｂよりも左側は同買物カゴが表された正面図であり、中心線Ｂよりも右側は同買物カゴの断面が表された図である。
【図６】同買物カゴが表された平面図である。
【図７】中心線Ａよりも左側は同買物カゴが表された側面図であり、中心線Ａよりも右側は同買物カゴの断面が表された図である。
【図８】中心線Ｂよりも左側は同買物カゴが表された正面図であり、中心線Ｂよりも右側は同買物カゴの断面が表された図である。
【図９】同買物カゴのグリップ部が表された側面図（同グリップ部の部分断面図）である。
【図１０】同買物カゴの断面が表された側面図である。
【図１１】同買物カゴのグリップ部が表された側面図（同グリップ部の部分断面図）である。
【図１２】段積み状態の同買物カゴが表された斜視図である。
【図１３】段積み状態の同買物カゴの断面が表された図である。
【図１４】中心線Ａよりも左側は同買物カゴの変更例が表された側面図であり、中心線Ａよりも右側は同変更例の買物カゴの断面が表された図である。
【図１５】段積み状態の同変更例の買物カゴが表された斜視図である。
【発明を実施するための形態】
【００２５】
以下、本発明に係る買物カゴについて、具体化した本実施形態に基づき、図面を参照しつつ説明する。
【００２６】
（１）買物カゴ１の概要
図１乃至図３に表されたように、買物カゴ１は、カゴ本体２、及び一対の把手３を備えている。カゴ本体２、及び一対の把手３は、ポリプロピレン等の樹脂を材料とした金型成形によって作られている。カゴ本体２、及び一対の把手３は、異なる色である。カゴ本体２は、一対の長辺側側面部２０、及び一対の短辺側側面部３０等を備えている。更に、カゴ本体２は、後述する図４等に表された底面部１０を備えている。
【００２７】
尚、図１乃至図３において、符号Ｄ１の方向は、上下方向（つまり、買物カゴ１の高さ方向）を示している。符号Ｄ２の方向は、底面部１０、及び一対の長辺側側面部２０の幅方向を示している。符号Ｄ３の方向は、一対の短辺側側面部３０の幅方向を示している。各方向Ｄ１，Ｄ２，Ｄ３は、互いに直交する関係にある。これらの点は、後述する他の図においても、同様である。
【００２８】
（２）カゴ本体２の概要
底面部１０は、略矩形状をなし、相対する一対の長辺１２、及び相対する一対の短辺１４を備えている。底面部１０の各長辺１２からは、各長辺側側面部２０が上方向へ延出している。底面部１０の各短辺１４からは、各短辺側側面部３０が上方向へ延出している。これにより、カゴ本体２は、底面部１０より広い上面が開放された逆四角錐台状に形作られている。従って、一方の買物カゴ１のカゴ本体２に、例えば、その開放上面の上方から、他方の買物カゴ１のカゴ本体２を嵌め入れることによって、双方の買物カゴ１を積み重ねることが可能である。
【００２９】
底面部１０、一対の長辺側側面部２０、及び一対の短辺側側面部３０には、複数の穴４が形成されている。一対の長辺側側面部２０及び一対の短辺側側面部３０の各上辺には、カゴ本体２の外方へ張り出したフランジ５が設けられている。一対の短辺側側面部３０には、その幅方向Ｄ３の両側において、一対の当接リブ６が、フランジ５の下面に連なるようにして立設されている。
【００３０】
一対の長辺側側面部２０には、その幅方向Ｄ２の中央領域において、短辺側側面部３０の幅方向Ｄ３で対向する一対の回動軸７が、フランジ５の上面に設けられている。一対の回動軸７には、把手３が軸支されている。これにより、把手３は、カゴ本体２のフランジ５に倒れた状態（つまり、図２及び図３に表された状態）と、カゴ本体２のフランジ５から起立した状態（つまり、図１に表された状態）に変位することが可能である。
【００３１】
一対の長辺側側面部２０のフランジ５の上面は、回動軸７から回動軸７側の反対側（つまり、短辺側側面部３０側）に向かうに連れて下方向へ湾曲している。一対の短辺側側面部３０のフランジ５の上面には、凹んだ状態の第２凹部３２が設けられている。第２凹部３２は、短辺側側面部３０の幅方向Ｄ３の中央に向かうに連れて下方向へ入り込んでいる。
【００３２】
尚、把手３は、カゴ本体２のフランジ５に倒れた状態にあると、回動軸７から回動軸７側の反対側（つまり、短辺側側面部３０側）に向かうに連れて下方向へ湾曲している。これにより、把手３は、一対の長辺側側面部２０のフランジ５の上面に沿う形状になっている。
【００３３】
（３）把手３の概要
把手３は、使用者が手で持つことができる把持部３Ａと、把持部３Ａの両端から延出した一対のアーム部３Ｂと、アーム部３Ｂの先端に形成された回動軸受け部３Ｃとを有する。回動軸受け部３Ｃは、カゴ本体２の回動軸７に取り付けられる。これにより、把手３は、カゴ本体２に回動可能に支持されている。以下、カゴ本体２のフランジ５に倒れた状態にある把手３について、図４乃至図６を加えて説明する。
【００３４】
把手３がカゴ本体２のフランジ５に倒れた状態に変位すると、各アーム部３Ｂは、長辺側側面部２０のフランジ５の上面に沿うように位置する。これに対して、把持部３Ａは、短辺側側面部３０のフランジ５の上方向側に位置する。把持部３Ａには、湾曲状の第１凹部４０が設けられている。第１凹部４０の下方には、カゴ本体２の第２凹部３２が位置する。これにより、把持部３Ａの第１凹部４０は、カゴ本体２の第２凹部３２と上下方向Ｄ１で対向する。第１凹部４０は、上方へ凹んだ状態にあり、短辺側側面部３０の幅方向Ｄ３の中央に向かうに連れて上方向へ入り込む。これにより、図５に表された短辺側側面部３０の正面視（つまり、方向Ｄ２）で買物カゴ１を視ると、把手３の第１凹部４０とカゴ本体２の第２凹部３２との間には、空間５０が形成される。空間５０は、短辺側側面部３０の幅方向Ｄ３の中央部が端部よりも、上下方向Ｄ１で広くなっている。
【００３５】
アーム部３Ｂと把持部３Ａとの境界部３Ｄがなす角度は、９０度よりも大きくなっている。これにより、把手３は、略Ｃ字状に形成されている。尚、境界部３Ｄは、Ｒ面取りされている。
【００３６】
第１凹部４０の上面には、カゴ本体２側の側端において、上方へ突き出したグリップ部４２が設けられている。従って、グリップ部４２は、短辺側側面部３０のフランジ５の上方向側に位置する。
【００３７】
次に、カゴ本体２のフランジ５から起立した状態にある把手３について、図７乃至図１１を加えて説明する。一対の把手３がカゴ本体２のフランジ５から起立した状態に変位すると、カゴ本体２の上方にて、一対の把手３の第１凹部４０同士が当接する。その際、各把手３のグリップ部４２は、第１凹部４０の下端からカゴ本体２の内方へ向いた状態になる。
【００３８】
図９に表されたように、第１凹部４０同士の当接は、一対の把手３に設けられた第１当接部４４同士と、更に、一対の把手３に設けられた第２当接部４６同士とで行われる。第２当接部４６は、第１当接部４４よりも下方向側に位置するグリップ部４２である。
【００３９】
図１０に表された長辺側側面部２０の側面視（つまり、方向Ｄ３）において、カゴ本体２に入れられた商品の重み等によって、カゴ本体２が右方向へ向かうに連れて下方向へ傾斜する場合には、第１凹部４０同士の当接が変化する。そのような場合には、図１１に表されたように、右方の把手３の第１当接部４４と第２当接部４６（つまり、グリップ部４２）との間において、左方の把手３の第１当接部４４が右方の把手３に当接する。
【００４０】
これに対して、図７に表された長辺側側面部２０の側面視（つまり、方向Ｄ３）において、カゴ本体２が左方向へ向かうに連れて下方向へ傾斜する場合には、図示はしないが、左方の把手３の第１当接部４４と第２当接部４６（つまり、グリップ部４２）との間において、右方の把手３の第１当接部４４が左方の把手３に当接する。
【００４１】
尚、図４及び図７において、中心線Ａよりも右側の断面は、一対の短辺側側面部３０の幅方向Ｄ３の中心を示す中心線Ｂ（図５、図８参照）で、買物カゴ１を切断した断面である。また、図１０の断面は、一対の短辺側側面部３０の幅方向Ｄ３の中心を示す中心線Ｂ（図５、図８参照）で、買物カゴ１を切断した断面である。これに対して、図５及び図８において、中心線Ｂよりも右側の断面は、一対の長辺側側面部２０の幅方向Ｄ２の中心を示す中心線Ａ（図４、図７参照）で、買物カゴ１を切断した断面である。
【００４２】
（４）買物カゴ１の積み重ね
図１２及び図１３に表されたように、複数の買物カゴ１は、把手３がカゴ本体２に倒れた状態にあると、把手３がカゴ本体２の開放上面の上方に存在しないことから、上下に積み重ねられることが可能である。複数の買物カゴ１が上下に積み重ねられた状態では、下段側の買物カゴ１の把手３に対して、上段側の買物カゴ１の当接リブ６が載置される。更に、下段側の買物カゴ１のカゴ本体２の（長辺側側面部２０及び短辺側側面部３０）の内面に対して、上段側の買物カゴ１のカゴ本体２の（長辺側側面部２０及び短辺側側面部３０）の外面が積み重ねられる。
【００４３】
これにより、上段側の買物カゴ１は、下段側の買物カゴ１に対して、上下方向Ｄ１で、所定距離Ｌ１離れた状態になる。所定距離Ｌ１は、把手３がカゴ本体２に倒れた状態に変位したときにおいて、カゴ本体２の第２凹部３２から把手３の第１凹部４０までの上下方向Ｄ１の距離Ｌ２よりも長い。そのため、下段側の買物カゴ１の把手３に対して、上段側の買物カゴ１の当接リブ６が載置されても、上段側のカゴ本体２の第２凹部３２の下面が、下段側の把手３の第１凹部４０の上面に突き当たることがない。
【００４４】
尚、図１３の断面は、一対の短辺側側面部３０の幅方向Ｄ３の中心を示す中心線（つまり、図５、図８に表された中心線Ｂ）で、複数の買物カゴ１を切断した断面である。
【００４５】
（５）まとめ
以上詳細に説明した通り、本実施形態の買物カゴ１では、把手３がカゴ本体２に倒れた状態に変位すると、把手３の第１凹部４０が上方へ凹んだ状態になるので、カゴ本体２の（方向Ｄ２の）正面視で、把手３とカゴ本体２との間に空間５０が形成される。そのため、使用者は、その指を、カゴ本体２と把手３との間に比較的深くまで差し入れ易い。これにより、本実施形態の買物カゴ１は、取り上げられる際のハンドリング性に優れる。
【００４６】
尚、上述したハンドリング性は、カゴ本体２に対して１個の把手３のみが設けられた場合でも発揮される。
【００４７】
本実施形態の買物カゴ１では、把手３がカゴ本体２に倒れた状態にあるときのグリップ部４２が、把手３の第１凹部４０において、カゴ本体２側の側端から上方へ突き出している。よって、一対の把手３がカゴ本体２から起立した状態に変位すると、各グリップ部４２は、一対の把手３の第１凹部４０の下端からカゴ本体２の内方へ突き出すので、対向する状態となる。そのため、カゴ本体２から起立した状態にある一対の把手３を、使用者が握ると、各グリップ部４２によって、使用者の手（のひら）と把手との接触面積が広がる。これにより、本実施形態の買物カゴ１は、取り上げられる際のグリップ性に優れる。
【００４８】
それゆえ、本実施形態の買物カゴ１では、使用者の手（のひら）で握り易くするためのカバー部材を把手３の第１凹部４０に取り付ける必要がないので、その取り付けの手間を省くことが可能である。
【００４９】
本実施形態の買物カゴ１では、例えば、カゴ本体２から起立した状態の一対の把手３を使用者が握り持ち上げた状態において、カゴ本体２に商品が入れられると、商品の重みによって、買物カゴ１（つまり、カゴ本体２及び一対の把手３）が傾いて、把手３同士が上下方向Ｄ１でずれる場合がある。そのような場合に、一方の把手３の第１当接部４４と第２当接部４６の間において、他方の把手３の第１当接部４４が一方の把手３に当接可能である、又は、他方の把手３の第１当接部４４と第２当接部４６の間において、一方の把手３の第１当接部４４が他方の把手３に当接可能である。これにより、本実施形態の買物カゴ１では、カゴ本体２が傾いた状態にあっても、使用者は、一対の把手３を安定して握ることが可能である。
【００５０】
更に、本実施形態の買物カゴ１では、一対の把手３がカゴ本体２から起立した状態にあると、第１当接部４４よりも下方向側に位置する第２当接部４６が、グリップ部４２である。そのため、カゴ本体２から起立した状態にある一対の把手３を、使用者が握ると、各グリップ部４２によって、使用者の手（のひら）と把手との接触面積が広がる。これにより、本実施形態の買物カゴ１は、取り上げられる際のグリップ性が一層優れる。
【００５１】
本実施形態の買物カゴ１において、把手３がカゴ本体２に倒れた状態にあると、第１凹部４０と、下方へ凹んだ状態のカゴ本体２の第２凹部３２とが、上下方向Ｄ１で対向する。よって、カゴ本体２の（方向Ｄ２の）正面視で、把手３の第１凹部４０とカゴ本体２の第２凹部３２との間に形成される空間５０によって、把手３とカゴ本体２との間が広く確保される。そのため、使用者は、その指を、カゴ本体２と把手３との間に比較的深くまで差し入れ易い。これにより、本実施形態の買物カゴ１は、取り上げられる際のハンドリング性が一層優れる。
【００５２】
本実施形態の買物カゴ１では、カゴ本体２の色と把手３の色とが異なるので、把手３の視認性が向上している。よって、使用者は、その指が差し入れられる空間５０であって、把手３とカゴ本体２との間に形成される空間５０を、色によって、認識することが可能である。これにより、本実施形態の買物カゴ１は、取り上げられる際のハンドリング性に優れる。
【００５３】
上述したハンドリング性やグリップ性は、上下に積み重ねられた複数の買物カゴ１のうち、最上段の買物カゴ１が取り上げられる際においても発揮される。
【００５４】
本実施形態の買物カゴ１において、カゴ本体２に設けられた当接リブ６は、買物カゴ１が他の買物カゴ１に積み重ねられたときに、他の買物カゴ１に載置される。これにより、上段側の買物カゴ１は、下段側の買物カゴ１から上下方向Ｄ１で所定距離Ｌ１離間する。その所定距離Ｌ１は、把手３がカゴ本体２に倒れた状態に変位したときにおいて、カゴ本体２の第２凹部３２から把手３の第１凹部４０までの上下方向Ｄ１の距離Ｌ２よりも長い。そのため、本実施形態の買物カゴ１では、上段側の買物カゴ１が下段側の買物カゴ１に積み重ねられた際において、上段側の買物カゴ１が下段側の買物カゴ１の把手３を押し潰すことがないので、把手３の破損を防止することが可能である。
【００５５】
（６）変更例
尚、本発明は上記実施形態に限定されるものでなく、その趣旨を逸脱しない範囲で様々な変更が可能である。
例えば、本実施形態の変更例として、図１４に表された買物カゴ１Ａがある。以下の説明では、上記実施形態と実質的に共通する部分には同一の符号を付し、詳しい説明を省略する。
【００５６】
買物カゴ１Ａにおいて、一対の把手１０３は、使用者が手で持つことができる把持部１０３Ａと、把持部１０３Ａの両端から延出した一対のアーム部１０３Ｂと、アーム部１０３Ｂの先端に形成された回動軸受け部１０３Ｃとを有する。アーム部１０３Ｂと把持部１０３Ａとの境界部１０３Ｄがなす角度は、９０度よりも大きくなっている。これにより、把手１０３は、略Ｃ字状に形成されている。尚、境界部１０３Ｄは、Ｒ面取りされている。
【００５７】
回動軸受け部１０３Ｃは、カゴ本体２の回動軸７に取り付けられる。これにより、一対の把手１０３は、カゴ本体２に回動可能に支持されている。
【００５８】
更に、アーム部１０３Ｂは、湾曲部１１０を形成しており、カゴ本体２の回動軸７から回動軸７側の反対側（つまり、短辺側側面部３０側）に向かうに連れて上方向へ傾斜している。
【００５９】
これにより、買物カゴ１Ａでは、使用者が一対の把手１０３を握らない状態、つまり、把手１０３がカゴ本体２のフランジ５の一部に倒れた状態に変位すると、把手１０３の湾曲部１１０によって、把手１０３の回動軸７側よりも把手１０３の回動軸７側の反対側（つまり、短辺側側面部３０側）が上方に位置するので、把手１０３の回動軸７側の反対側が上方を向く。そのため、使用者は、把手１０３の回動軸７側の反対側を取り易い。これにより、買物カゴ１Ａは、取り上げられる際のハンドリング性に優れる。
【００６０】
尚、把持部１０３Ａには、張出部１４０が設けられている。張出部１４０の大部分は、フランジ５の外方へ張り出している。これにより、張出部１４０が位置する側の下方には、カゴ本体２の第２凹部３２が位置する。張出部１４０は、把持部１０３Ａの全体がカゴ本体２の外方へ突き出したような湾曲形状になっている。張出部１４０の下面には、カゴ本体２側の側端において、下方へ突き出したグリップ部１４２が設けられている。従って、グリップ部１４２は、カゴ本体２よりも外方側に位置する。加えて、長辺側側面部２０の上端部及び長辺側側面部２０の上端部に設けられたフランジ５は、中心線Ａから外方へ向かうに連れて下方向へ湾曲状に傾斜した傾斜部（以下、「長辺側側面部２０の傾斜部」という。）となっている。そのため、使用者は、把手１０３の回動軸７側の反対側（つまり、短辺側側面部３０側）を取り易い。これらにより、買物カゴ１Ａは、取り上げられる際のハンドリング性をより一層高めることができる。
【００６１】
尚、長辺側側面部２０の傾斜部は、上記実施形態の第２凹部３２の変形例である。
【００６２】
また、複数の買物カゴ１Ａは、図１５に表されたように、上下方向Ｄ１に段積みすることが可能である。複数の買物カゴ１Ａが段積みされると、上段側の買物カゴ１Ａの当接リブ６は、下段側の買物カゴ１Ａの把手１０３の内方側を通過した状態で、下段側の買物カゴ１Ａのフランジ５に載置される。
【００６３】
尚、図１４において、中心線Ａよりも右側の断面は、一対の短辺側側面部３０の幅方向Ｄ３の中心を示す中心線Ｂ（図５、図８参照）で、買物カゴ１Ａを切断した断面である。
【００６４】
また、本実施形態の第１凹部４０及び第２凹部３２は、上述した正面視で、略全体的に湾曲状に形成されているが、部分的に湾曲状に形成されていてもよいし、角張ったクランク状に形成されていてもよい。変更例の湾曲部１１０は、上述した側面視で、略全体的に湾曲状に形成されているが、部分的に湾曲状に形成されていてもよいし、角張ったクランク状に形成されていてもよいし、傾斜状に形成されてもよい。変更例の長辺側側面部２０の傾斜部は、直線状に傾斜したものでもよい。
【００６５】
また、把手３，１０３においては、アーム部３Ｂ，１０３Ｂの先端に、回動軸７が設けられてもよい。そのような場合には、カゴ本体２の一対の長辺側側面部２０には、その幅方向Ｄ２の中央領域において、回動軸受け部３Ｃ，１０３Ｃが設けられる。
【００６６】
ちなみに、本実施形態において、回動軸７は、「回動構成部」の一例である。回動軸受け部３Ｃ，１０３Ｃは、「被回動構成部」の一例である。第１凹部４０、アーム部１０３Ｂ（湾曲部１１０）は、「空間形成部」の一例である。上段側の買物カゴ１は、「買物カゴ」の一例である。下段側の買物カゴ１は、「他の買物カゴ」の一例である。
【符号の説明】
【００６７】
１，１Ａ  買物カゴ
２  カゴ本体
３，１０３  把手
３Ａ，１０３Ａ  把持部
３Ｂ，１０３Ｂ  アーム部
３Ｃ，１０３Ｃ  回動軸受け部
６  当接リブ
７  回動軸
３２  第２凹部
４０  第１凹部
４２  グリップ部
４４  第１当接部
４６  第２当接部
５０  空間
１１０  湾曲部
Ｌ１  所定距離
Ｌ２  カゴ本体の凹部から把手の湾曲部までの上下方向の距離
Ｄ１  上下方向
【図１】
2020055594.tif 000003
【図２】
2020055594.tif 000004
【図３】
2020055594.tif 000005
【図４】
2020055594.tif 000006
【図５】
2020055594.tif 000007
【図６】
2020055594.tif 000008
【図７】
2020055594.tif 000009
【図８】
2020055594.tif 000010
【図９】
2020055594.tif 000011
【図１０】
2020055594.tif 000012
【図１１】
2020055594.tif 000013
【図１２】
2020055594.tif 000014
【図１３】
2020055594.tif 000015
【図１４】
2020055594.tif 000016
【図１５】
2020055594.tif 000017